(57)【要約】      （修正有）【課題】展開及び折り畳み可能で、傘とイスと杖のいずれの用途にも使用可能な傘とイス兼用の杖を提供する。【解決手段】傘とイス兼用の杖１は、座部用プレート１０と、持ち手部材２０と、傘部材３０と、支持棒部材４０と、を備え、前記持ち手部材２０、前記傘部材３０及び前記支持棒部材４０は、前記座部用プレート１０に対して、垂直方向に起立可能、水平方向に展開及び折り畳み可能に連結されている。前記座部用プレート１０の周縁端部に互いに離間して固定され、持ち手部材２０、傘部材３０及び支持棒部材４０のそれぞれと連結し、前記座部用プレート１０に対して回動可能な３つの連結部材５０を備えている。【選択図】図１
2017113262.tif 000002
【特許請求の範囲】
【請求項１】
座部用プレートと、
持ち手部材と、傘部材と、支持棒部材と、を備え、
前記持ち手部材、前記傘部材及び前記支持棒部材は、前記座部用プレートに対して、垂直方向に起立可能、水平方向に展開及び折り畳み可能に連結されていることを特徴とする傘とイス兼用の杖。
【請求項２】
前記座部用プレートの周縁端部に互いに離間して固定され、前記持ち手部材、前記傘部材及び前記支持棒部材のそれぞれと連結し、前記座部用プレートに対して回動可能な３つの連結部材を備えている請求項１に記載の傘とイス兼用の杖。
【請求項３】
前記持ち手部材と、前記傘部材とは、互いに対向して折り畳み可能であり、
前記持ち手部材及び前記傘部材と、前記支持棒部材とは、互いに直交して折り畳み可能である請求項１又は２に記載の傘とイス兼用の杖。
【請求項４】
前記傘部材及び前記支持棒部材と、前記持ち手部材とは、互いに対向して折り畳み可能である請求項１又は２に記載の傘とイス兼用の杖。
【請求項５】
前記連結部材は、位置決め孔を備えた固定部材と、該固定部材に軸支された回動部材と、からなり、
前記回動部材の周方向に設けた３箇所の貫通孔のいずれかと前記位置決め孔とを挿通する係止具を挿着して、前記起立、前記展開又は前記折り畳みの姿勢を採ることを可能とする請求項２乃至４のうちのいずれか１項に記載の傘とイス兼用の杖。 
【発明の詳細な説明】
【技術分野】
【０００１】
本発明は、傘とイス兼用の杖に関する。更に詳しくは、展開及び折り畳み可能で、傘とイスと杖のいずれの用途にも使用可能な傘とイス兼用の杖に関する。
【背景技術】
【０００２】
外出に際しては、歩行を補助するために杖が役立つ。また、途中で雨天に見舞われれば、傘が必要となる。そして、目的地に辿りついても座って休む場所がない場合には、イスがあると便利である。
外出用に際して、これら３点を備えていれば大変好都合である。しかしながら、持ち物がかさばり、持ち運びには不便である。
【０００３】
上記の問題を解決するために、傘と杖の両方を兼ね備えた傘兼用杖が提案されている（例えば、特許文献１参照。）。また、傘とイスの両方を兼ね備えた傘兼用イスが提案されている（例えば、特許文献２参照。）。
更に、イスと杖の両方を兼ね備えたイス兼用杖が提案されている（例えば、特許文献３参照。）。
【先行技術文献】
【特許文献】
【０００４】
【特許文献１】特開２０１３−８５９４１号公報
【特許文献２】特表２００７−５０９６９２号公報
【特許文献３】実登３０６５９３７号公報
【発明の開示】
【発明が解決しようとする課題】
【０００５】
しかし、傘とイスと杖の３つを兼ね備えた発明は開示されていない。
本発明は、上記従来の問題を解決するものであり、展開及び折り畳み可能で、傘とイスと杖のいずれの用途にも使用可能な傘とイス兼用の杖を提供することを目的としている。
【課題を解決するための手段】
【０００６】
本発明は、以下の通りである。
１．座部用プレートと、
持ち手部材と、傘部材と、支持棒部材と、を備え、
前記持ち手部材、前記傘部材及び前記支持棒部材は、前記座部用プレートに対して、垂直方向に起立可能、水平方向に展開及び折り畳み可能に連結されていることを特徴とする傘とイス兼用の杖。
２．前記座部用プレートの周縁端部に互いに離間して固定され、前記持ち手部材、前記傘部材及び前記支持棒部材のそれぞれと連結し、前記座部用プレートに対して回動可能な３つの連結部材を備えている１．に記載の傘とイス兼用の杖。
３．前記持ち手部材と、前記傘部材とは、互いに対向して折り畳み可能であり、
前記持ち手部材及び前記傘部材と、前記支持棒部材とは、互いに直交して折り畳み可能である１．又は２．に記載の傘とイス兼用の杖。
４．前記傘部材及び前記支持棒部材と、前記持ち手部材とは、互いに対向して折り畳み可能である１．又は２．に記載の傘とイス兼用の杖。
５．前記連結部材は、位置決め孔を備えた固定部材と、該固定部材に軸支された回動部材と、からなり、
前記回動部材の周方向に設けた３箇所の貫通孔のいずれかと前記位置決め孔とを挿通する係止具を挿着して、前記起立、前記展開又は前記折り畳みの姿勢を採ることを可能とする２．乃至４．のうちのいずれか１項に記載の傘とイス兼用の杖。
【発明の効果】
【０００７】
本発明に係る傘とイス兼用の杖は、座部用プレートと、持ち手部材と、傘部材と、支持棒部材と、を備え、持ち手部材、傘部材及び支持棒部材は、座部用プレートに対して、垂直方向に起立可能、水平方向に展開及び折り畳み可能に連結されているため、展開及び折り畳み可能で、傘とイスと杖のいずれの用途にも使用可能である。すなわち、持ち手部材、傘部材及び支持棒部材を座部用プレートに対して、垂直方向に起立させるとイスとして使用できる。そして、水平方向に展開すれば、杖および傘として使用できる。更に、内側に折り畳むことによりコンパクトに収納することができ、持ち運びに便利である。
２．座部用プレートの周縁端部に互いに離間して固定され、持ち手部材、傘部材及び支持棒部材のそれぞれと連結し、前記座部用プレートに対して回動可能な３つの連結部材を備えている場合には、垂直方向への起立、水平方向への展開及び折り畳みを確実に行うことができる。
３．持ち手部材と、傘部材とが、互いに対向して折り畳み可能であり、持ち手部材及び傘部材と、支持棒部材とは、互いに直交して折り畳み可能である場合には、コンパクトに収納することができる。
４．傘部材及び支持棒部材と、持ち手部材とは、互いに対向して折り畳み可能である場合にも、コンパクトに収納することができる。
５．連結部材が、位置決め孔を備えた固定部材と、固定部材に軸支された回動部材と、からなり、回動部材の周方向に設けた３箇所の貫通孔のいずれかと位置決め孔とを挿通する係止具を挿着して、起立、前記展開又は前記折り畳みの姿勢を採ることを可能とするば、確実にそれぞれの姿勢を採ることができる。
【図面の簡単な説明】
【０００８】
【図１】本発明の実施形態１に係り、杖として使用した場合の（ａ）は平面図、（ｂ）は側面図である。
【図２】本発明の実施形態１に係り、イスとして使用した場合の斜視図である。
【図３】本発明の実施形態１に係り、座部用プレート内部に折り畳み収納した状態を示す平面図である。
【図４】本発明の実施形態１に係り、傘として使用した場合の斜視図である。
【図５】本発明の実施形態１及び２に係り、連結部材の分解斜視図である。
【図６】本発明の実施形態１及び２に係り、連結部材が回動して、（ａ）は水平方向に折り畳み収納した状態、（ｂ）は垂直方向に起立した状態、（ｃ）は水平方向に展開した状態を示す斜視図である。
【図７】本発明の実施形態２に係り、杖として使用した場合の平面図である。
【図８】本発明の実施形態２に係り、イスとして使用した場合の斜視図である。
【図９】本発明の実施形態２に係り、座部用プレート内部に折り畳み収納した状態を示す平面図である。
【図１０】本発明の実施形態２に係り、傘として使用した場合の斜視図である。
【発明を実施するための最良の形態】
【０００９】
以下図１〜１０を参照しながら本発明を詳しく説明する。尚、本発明は、かかる図に記載された具体例に示すものに限られず、目的、用途に応じて種々変更したものとすることができる。
【００１０】
［実施形態１］
実施形態１に係る傘とイス兼用の杖１は、本発明を具体化した例である。
傘とイス兼用の杖１は、図１（ａ）、（ｂ）に示すように、座部用プレート１０と、持ち手部材２０と、傘部材３０と、支持棒部材４０と、を備えている。
そして、持ち手部材２０、傘部材３０及び支持棒部材４０は、座部用プレート１０に対して、垂直方向に起立可能、水平方向に展開及び折り畳み可能に連結されている。
【００１１】
前記「座部用プレート１０」は、図２に示すように、一方向に突出した六角形状を成しており、イスとして使用した場合の座部としての機能を有する。座部用プレートの材質は特に限定はなく、アルミニウム製、プラスチック製、布製等が例示されるが、アルミニウム製であることが好ましい。アルミニウム製であれば、強度に優れると共に、軽量であるため、持ち運びの負担を軽減することができる。
【００１２】
前記「持ち手部材２０」は、図１に示すように、杖として使用した場合のシャフト上部であり、上端には把手部２０ａを備えている。また、イスとして使用した場合には、脚としての役割を果たす。更に、傘として使用した場合の持ち手としての役割を果たす。
【００１３】
前記「傘部材３０」は、前記持ち手部材２０と対向して設けられ、折り畳みの傘である。傘として使用する場合は、図４に示すように、拡開し、把手部２０ａを手で支持して使用する。また、イスと使用する場合は脚としての役割を果たす。
また、杖として使用する場合のシャフト下部としての役割を果たす。
【００１４】
前記「支持棒部材」は、図２に示すように、イスとして使用した場合の脚の一部をなす部材である。イス以外に使用する場合には、図１（ａ）に示すように、座部用プレート１０に折り畳み収納されている。
【００１５】
持ち手部材２０、傘部材３０、支持棒部材４０は、座部用プレートの周縁端部に互いに離間して固定された回動可能な連結部材５０にそれぞれ連結されている。
前記「連結部材５０」は、図５に示すように、位置決め孔７０ｄを備えた固定部材６０と、固定部材６０に軸支された回動部材７０と、からなり、
前記回動部材の周方向に設けた３箇所の貫通孔６１ａ、６１ｂ、６１ｃと前記位置決め孔７０ｄとを挿通する係止具８５を挿着して、前記起立、前記展開又は前記折り畳みの姿勢を採ることを可能とする。
【００１６】
以下、連結部材５０を更に詳細に説明する。連結部材５０のうちの固定部材７０は、座部用プレート１０にボルトなどの固着具で固着されている。固定部材７０は、側部から上部に向かって円弧状の一対の側板が対向して形成されており、この側板に軸孔７０ｈと、位置決め孔７０ｄが設けてある。
【００１７】
連結部材５０のうちの回動部材６０は、持ち手部材２０（傘部材３０、支持棒部材４０）の軸を固着した基台６５と、この基台６５に接続固着した回動部材本体６１とからなる。回動部材本体６１は、中央部が先端に向かって円弧状に形成されている。
固定部材７０の軸孔７０ｈに固着した固着具８０の軸が、回動部材６０の中心孔６１ｈに挿通されており、回動部材６０は固定部材７０の一対の側板内において回動することができる。
そして、固定部材の位置決め孔７０ｄと、回動部材本体６１の貫通孔６１ａ（６１ｂ、６１ｃ）を係止具（蝶ネジ）８５で挿着固定することで、用途に応じた姿勢を採ることができる。
更に、固定部材６１の段差部６１ｓが側板の内部側面７０ａ、上部側面７０ｂ、外部側面７０ｃと当接することで、確実に安定した姿勢を採ることができる。
【００１８】
位置決め孔７０ｄと貫通孔６１ａとが同心となるように、固着具８５で固定すれば、図６（ａ）に示すように、持ち手部材２０は座部用プレート１０に対して、水平方向外側に展開して固定される。
また、位置決め孔７０ｄと貫通孔６１ｂとが同心となるように、係止具８５で固定すれば、図６（ｂ）に示すように、持ち手部材２０は座部用プレート１０に対して、垂直方向に起立して固定される。
更に、位置決め孔７０ｄと貫通孔６１ｃとが同心となるように、係止具８５で固定すれば、図６（ｃ）に示すように、持ち手部材２０は座部用プレート１０に対して、水平方向内側に折り畳み固定される。
【００１９】
図３に示すように、持ち手部材２０と、３０傘部材とは、互いに対向して折り畳み可能であり、持ち手部材２０及び傘部材３０と、支持棒部材４０とは、互いに直交して折り畳み可能である。
【００２０】
［実施形態２］
実施形態２に係る傘とイス兼用の杖２も、本発明を具体化した例である。
傘とイス兼用の杖２は、図７に示すように、座部用プレート１５と、持ち手部材２０と、傘部材３０と、支持棒部材４０と、を備えている。
そして、持ち手部材２０、傘部材３０及び支持棒部材４０は、座部用プレート１５に対して、垂直方向に起立可能、水平方向に展開及び折り畳み可能に連結されている。
【００２１】
前記「座部用プレート１５」は、図８に示すように、長方形状であり、イスとして使用した場合の座部としての機能を有する。座部用プレートの材質、機能については、座部用プレート１０と同様であり、説明を省略する。
【００２２】
杖として使用する場合は、図７に示すように、持ち手部材２０を杖のシャフト上部とし、傘部材３０及び、支持棒部材４０の両方をシャフト下部として使用することができる。また、傘部材３０又は、支持棒部材４０の一方をシャフト下部として使用し、他方を、座部用プレート１５に折り畳み収納しておいてもよい。その他の機能については、実施形態１で説明した通りであるため、説明を省略する。
【００２３】
傘として使用する場合は、図１０に示すように、持ち手部材２０を傘の持ち手部分とし、傘部材３０を拡開して使用する。支持棒部材４０は、座部プレート１５に折り畳み収納しておく。
【００２４】
イスとして使用する場合は、図８に示すように、座部プレート２に対して、持ち手部材２０、傘部材３０、支持棒部材４０それぞれを、垂直方向に起立させて使用する。
【００２５】
連結部材５０の構成、作用効果については、実施形態１と同様であるため、その説明を省略する。
【００２６】
図８に示すように、収納に際しては、座部用プレート１５において、傘部材３０及び支持棒部材４０と、持ち手部材２０とは、互いに対向して折り畳み可能である。
【符号の説明】
【００２７】
１、２；傘とイス兼用の杖、１０、１５；座部用プレート、２０；持ち手部材、３０；傘部材、４０；支持棒部材、５０；連結部材、６０；回動部材、６１ａ、６１ｂ、６１ｃ；貫通孔、７０；固定部材、７０ｄ；位置決め孔、８５；係止具
【図１】
2017113262.tif 000003
【図２】
2017113262.tif 000004
【図３】
2017113262.tif 000005
【図４】
2017113262.tif 000006
【図５】
2017113262.tif 000007
【図６】
2017113262.tif 000008
【図７】
2017113262.tif 000009
【図８】
2017113262.tif 000010
【図９】
2017113262.tif 000011
【図１０】
2017113262.tif 000012